(57)【要約】【課題】略水平の枕載置部の後方に立ち上がり部を立設させることで枕載置部上の排水性能を向上させた浴槽用枕の設置構造であって、その上で、仮に枕載置部にカビや水垢が発生したとしても、入浴者の入浴快適性を損なわない浴槽用枕の設置構造を提供する。【解決手段】略水平な枕載置部と、枕載置部の後方から立ち上がった立ち上がり部と、を有するリムと、を備えた浴槽と、枕載置部に載置された浴槽用枕と、を備えた浴槽用枕の設置構造であって、浴槽用枕は、浴槽用枕の後端が枕載置部より後方で且つ前記立ち上がり部より上方に位置するように枕載置部に載置されている。【選択図】図４
2019076128.tif 000002
【特許請求の範囲】
【請求項１】
略水平な枕載置部と、前記枕載置部の後方から上方へ向かって立設された立ち上がり部と、を有するリムと、を備えた浴槽と、
前記枕載置部に載置された浴槽用枕と、を備えた浴槽用枕の設置構造であって、
前記浴槽用枕は、浴槽用枕の後端が前記枕載置部より後方で且つ前記立ち上がり部より上方に位置するように前記枕載置部に載置されたことを特徴とする浴槽用枕の設置構造。
【請求項２】
前記枕載置部には突起部が設けられており、前記浴槽用枕には凹部が設けられており、
前記浴槽用枕は、前記突起部と前記凹部とが嵌合することで、前記枕載置部に接続されており、
前記突起部と前記凹部との間には、その前後方向において空隙が形成されており、
前記浴槽用枕の後端から前記凹部の後方の下端までの前後方向における長さは、前記枕載置部の後端から前記突起部の後方の下端までの前後方向における長さより、大きいことを特徴とする請求項１に記載の浴槽用枕の設置構造。
【請求項３】
前記立ち上がり部は、後方へ向かって斜めに傾斜している第１壁部を有していることを特徴とする請求項１に記載の浴槽用枕の設置構造。
【請求項４】
前記立ち上がり部は、前記第１壁部より前方且つ下方側に、前記第１壁部より後方に対する傾斜角度が大きい第２壁部をさらに有しており、
前記浴槽用枕は、その後面に、後方へ向かって斜めに傾斜している第１後面部と、前記第１後面部より前方且つ下方側に、前記第１後面部より後方に対する傾斜角度が大きい第２後面部と、を有していることを特徴とする請求項３に記載の浴槽用枕の設置構造。
【請求項５】
前記立ち上がり部は、前記第１壁部より前方且つ下方側に、前記第１壁部より後方に対する傾斜角度が小さい第２壁部をさらに有しており、
前記浴槽用枕は、その後面に、後方へ向かって斜めに傾斜している第１後面部と、前記第１後面部より前方且つ下方側に、前記第１後面部より後方に対する傾斜角度が小さい第２後面部と、を有していることを特徴とする請求項３に記載の浴槽用枕の設置構造。
【発明の詳細な説明】
【技術分野】
【０００１】
本発明の態様は、一般的に、浴槽のリムに形成された枕載置部に浴槽用枕を設置した際の浴槽用枕の設置構造に関する。
【背景技術】
【０００２】
近年、入浴者の頭を支えることで、入浴快適性を向上させる浴槽用枕がリムに形成された枕載置部上に設置された浴槽が知られている。この際、浴槽用枕が樹脂製の場合には、浴室内の気温の変化によって熱膨張・収縮が起こりやすい。このため、仮に枕載置部が大きく傾斜していると、樹脂製の浴槽用枕が熱膨張・収縮した際に枕の位置が上下方向に膨張・収縮しやすくなってしまい、浴室内の気温などの外的要因によって、入浴者の頭にフィットしない状況が発生してしまう可能性が発生してしまう。そこで、このことを抑制するために、浴槽用枕が載置される枕載置部を略水平とさせることが考えられる。このことにより、樹脂製の浴槽用枕が熱膨張・収縮した際にも、枕の位置が上下に移動しにくくなるため、予め決まった枕の高さに、常に入浴者は頭を設置することができるようになる。
【０００３】
この際、この浴槽のリムに設けられた枕載置部が略水平であると、枕載置部に着水した水が浴槽内に排出されにくくなってしまう。その結果、枕載置部に水垢が溜まってしまう可能性や、カビが発生してしまう可能性がある。そこで、枕載置部の後方に立ち上がり部を形成させることで、枕載置部に水が着水した際には、着水した水が立ち上がり部に衝突し跳ね返り、水を前方、すなわち浴槽内へ向かう方向へ排出させやすくすることができる。一方で、このような設置構造であっても、枕載置部に設置された浴槽用枕の後端と立ち上がり部との間に浸入した水を完全に排出することは難しい。
【先行技術文献】
【特許文献】
【０００４】
【特許文献１】特開２０１６−７３５９号公報
【発明の概要】
【発明が解決しようとする課題】
【０００５】
本発明は、かかる課題の認識に基づいてなされたものであり、略水平の枕載置部の後方に立ち上がり部を立設させることで枕載置部上の排水性能を向上させた浴槽用枕の設置構造であって、その上で、仮に枕載置部にカビや水垢が発生したとしても、入浴者の入浴快適性を損なわない浴槽用枕の設置構造を提供することを目的とする。
【課題を解決するための手段】
【０００６】
第１の発明は、略水平な枕載置部と、前記枕載置部の後方から上方へ向かって立設された立ち上がり部と、を有するリムと、を備えた浴槽と、前記枕載置部に載置された浴槽用枕と、を備えた浴槽用枕の設置構造であって、前記浴槽用枕は、浴槽用枕の後端が前記枕載置部より後方で且つ前記立ち上がり部より上方に位置するように前記枕載置部に載置されたことを特徴とする浴槽用枕の設置構造である。
【０００７】
この浴槽用枕の設置構造によれば、浴槽用枕の後端によって、上方から浴槽用枕及び浴槽のリムを見た際に、枕載置部の後端を見えなくすることができる。したがって、仮に枕載置部の後端にカビや水垢が発生したとしても、このカビや水垢を隠蔽することができる。それに加え、浴槽用枕の後端によって、浴槽用枕に頭を載せた入浴者の髪が、浴槽用枕と立ち上がり部との間に入り込んでしまうことを抑制できる。
なお、本発明においては、水平に対する傾斜角度が１０度以内であれば「略水平」に含まれるものと定義する。
【０００８】
第２の発明は、第１の発明において、前記枕載置部には突起部が設けられており、前記浴槽用枕には凹部が設けられており、前記浴槽用枕は、前記突起部と前記凹部とが嵌合することで、前記枕載置部に接続されており、前記突起部と前記凹部との間には、その前後方向において空隙が形成されており、前記浴槽用枕の後端から前記凹部の後方の下端までの前後方向における長さは、前記枕載置部の後端から前記突起部の後方の下端までの前後方向における長さより、大きいことを特徴とする浴槽用枕の設置構造である。
【０００９】
この浴槽用枕の設置構造によれば、突起部と凹部とが空隙が形成された状態で接続されることで、浴槽用枕に熱膨張・収縮が起こった際にも、浴槽用枕の変形が起こってしまうことを抑制することができる。その上で、浴槽用枕の後端から凹部の後方の下端までの前後方向における長さは枕載置部の後端から突起部の後方の下端までの前後方向における長さより大きいため、浴槽用枕が空隙の許容範囲内において前方へ移動した際にも、枕載置部の後端が上方から見て露出してしまうことを抑制できる。
【００１０】
第３の発明は、第１の発明において、前記立ち上がり部は、後方へ向かって斜めに傾斜している第１壁部を有していることを特徴とする浴槽用枕の設置構造である。
【００１１】
この浴槽用枕の設置構造によれば、斜めに傾斜した第１壁部によって、入り込んだ水を付勢することができ、枕載置部に着水した水の排水性能を更に高めることができる。
【００１２】
第４の発明は、第３の発明において、前記立ち上がり部は、前記第１壁部より前方且つ下方側に、前記第１壁部より後方に対する傾斜角度が大きい第２壁部をさらに有しており、前記浴槽用枕は、その後面に、後方へ向かって斜めに傾斜している第１後面部と、前記第１後面部より前方且つ下方側に、前記第１後面部より後方に対する傾斜角度が大きい第２後面部と、を有していることを特徴とする浴槽用枕の設置構造である。
【００１３】
この浴槽用枕の設置構造によれば、上方からだけでなく斜め後方から見た際にも、枕載置部の後端を見えなくすることができる。したがって、仮に枕載置部の後端にカビや水垢が発生したとしても、このカビや水垢をより確実に隠蔽することができる。
【００１４】
第５の発明は、第３の発明において、前記立ち上がり部は、前記第１壁部より前方且つ下方側に、前記第１壁部より後方に対する傾斜角度が小さい第２壁部をさらに有しており、前記浴槽用枕は、その後面に、後方へ向かって斜めに傾斜している第１後面部と、前記第１後面部より前方且つ下方側に、前記第１後面部より後方に対する傾斜角度が小さい第２後面部と、を有していることを特徴とする
【００１５】
この浴槽用枕の設置構造によれば、上方からだけでなく斜め後方から見た際にも、枕載置部の後端を見えなくすることができる。したがって、仮に枕載置部の後端にカビや水垢が発生したとしても、このカビや水垢をより確実に隠蔽することができる。
【発明の効果】
【００１６】
本発明の態様によれば、略水平の枕載置部の後方に立ち上がり部を立設させることで枕載置部上の排水性能を向上させた浴槽用枕の設置構造であって、その上で、仮に枕載置部にカビや水垢が発生したとしても、入浴者の入浴快適性を損なわない浴槽用枕の設置構造を提供することができる。
【図面の簡単な説明】
【００１７】
【図１】本発明の実施の形態に係る浴槽装置を示す模式的斜視図である。
【図２】図１の浴槽装置を示す模式的断面図である。
【図３】図２の浴槽装置において、浴槽と浴槽に取り付けられた浴槽用枕とを示す模式的分解図である。
【図４】図３の浴槽と浴槽に取り付けられた浴槽用枕とを示す模式的断面図である。
【図５】本発明の実施の形態に係る浴槽装置の変形例を示す模式的断面図である。
【図６】本発明の実施の形態に係る浴槽装置の変形例を示す模式的断面図である。
【図７】本発明の実施の形態に係る浴槽装置の変形例を示す模式的断面図である。
【発明を実施するための形態】
【００１８】
以下、本発明の実施の形態について図面を参照しつつ説明する。なお、各図面中、同様の構成要素には同一の符号を付して詳細な説明は適宜省略する。
【００１９】
図１は、本発明の実施の形態に係る浴槽装置を示す模式的斜視図である。
図２は、図１の浴槽装置を示す模式的断面図である。
図３は、図２の浴槽装置において、浴槽と浴槽に取り付けられた浴槽用枕とを示す模式的分解図である。
【００２０】
図１〜３に示すように、本発明の実施の形態に係る浴槽装置１００は、湯水が貯まることで入浴者が入浴可能とする浴槽１０と、入浴者の頭が載置可能な浴槽用枕装置２０と、を備えている。
【００２１】
浴槽１０は、その上周端にリム１１が形成されている。リム１１の一方の短手側には、枕載置部１２と、枕載置部１２より後方に立設された立ち上がり部１４と、が一体に形成されている。枕載置部１２の後方端と立ち上がり部１４の下端とは、滑らかに繋がっている。なお、立ち上がり部１４は、左右方向における中央部分が左右端より後方に位置するように、湾曲している。
【００２２】
浴槽用枕装置２０は、例えば熱可塑性の発泡樹脂である発泡ポリエチレンで形成された枕本体（浴槽用枕）２１と、枕本体２１を枕載置部１２に接続するための固定部材（突起部）２２と、を有している。枕本体２１は、枕載置部１２の上面に載置されている。枕本体２１の上面は、前方に向かって下方に傾斜しており、入浴者の頭を載置しやすくなっている。
【００２３】
枕載置部１２は、略水平となるよう形成されている。なお、本発明においては、水平に対する傾斜角度が１０度以内であれば「略水平」に含まれるものと定義している。枕載置部１２には、固定部材２２が接着固定されている。
【００２４】
図４は、図３の浴槽と浴槽に取り付けられた浴槽用枕とを示す模式的断面図である。
図４（ａ）は、枕本体２１が、枕載置部１２の後方寄りに位置している状態を示す模式的断面図である。図４（ｂ）は、枕本体２１が、枕載置部１２の前方寄りに位置している状態を示す模式的断面図である。
【００２５】
図４に示すように、枕本体２１は、枕本体２１の後端２５が枕載置部１２より後方で且つ立ち上がり部１４より上方に位置するように枕載置部１２に載置されている。このことにより、仮に枕載置部１２の後端１２ａ近傍にカビや水垢が発生したとしても、上方から（図４の矢印Ａから）見た際に、枕本体２１の後端２５によって、枕載置部１２の後端１２ａ近傍に発生したカビや水垢を隠蔽することができる。その上、枕本体２１に頭を載せた入浴者の髪が、枕本体２１と立ち上がり部１４との間に入り込んでしまうことを抑制できる。なお、本発明における「枕本体２１の後端２５」とは、例えば、枕本体２１の一番後方に位置する部分である。
【００２６】
枕本体２１の下面には、嵌合孔（凹部）２４が形成されている。この嵌合孔２４に対して、枕載置部１２に固定された固定部材２２が挿入・嵌合することで、枕本体２１が枕載置部１２に接続される。なお、図示は省略しているが、固定部材２２の上端は下端より左右方向に大きくなるよう形成されており、嵌合孔２４の下端における左右方向の内径より大きいものである。このことにより、施工者等の手によって大きな外力が加えられない限り、枕本体２１が固定部材２２から外れることを防止できる。
【００２７】
固定部材２２と嵌合孔２４との間には、その前後方向及び左右方向において空隙が形成されている。この空隙の大きさは、例えば、前後方向に３ｍｍ以上、左右方向に３ｍｍ以上である。このことにより、例えば、浴室の使用後に浴室の室内温度が大きく上昇した際に樹脂製の枕本体２１に熱膨張が起こった場合や、冬の寒い朝など浴室の室内温度が大きく低下した際に樹脂製の枕本体２１に熱収縮が起こった場合に、枕本体２１が固定部材２２から生じる応力によって変形してしまうことを抑制することができる。なお、本実施の形態における浴槽装置１００においては、前後方向及び左右方向のみならず、固定部材２２の全周に亘って、固定部材２２と嵌合孔２４との間に空隙が形成されている。
【００２８】
枕本体２１の後端２５から嵌合孔２４の後方の下端２４ａまでの前後方向における長さＬ１は、枕載置部１２の後端１２ａから固定部材２２の後方の下端２２ａまでの前後方向における長さＬ２より、大きい。このことにより、枕本体２１が空隙の許容範囲内において前方へ移動した（ずれた）際にも、枕載置部１２の後端１２ａが上方から見て露出してしまうことを抑制できる。なお、本発明における「枕載置部１２の後端１２ａ」とは、例えば、略水平である枕載置部１２の一番後方に位置する部分（略水平でなくなる部分）である。
【００２９】
立ち上がり部１４は、後方へ向かって斜めに傾斜している第１壁部１４ａと、第１壁部１４ａより後方に対する傾斜角度が大きい第２壁部１４ｂと、を有している。第２壁部１４ｂは、第１壁部１４ａより前方且つ下方側に形成されている。本実施の形態において、第１壁部１４ａの傾斜角度は約６０度である。第２壁部１４ｂの傾斜角度は略垂直（約９０度）である。
【００３０】
枕本体２１は、その後面に、後方へ向かって斜めに傾斜している第１後面部２１ａと、第１後面部２１ａより後方に対する傾斜角度が小さい第２後面部２１ｂと、を有している。第２後面部２１ｂは、第１後面部２１ａより前方且つ下方側に形成されている。本実施の形態において、第１後面部２１ａの傾斜角度は約６０度である。第２後面部２１ｂの傾斜角度は略垂直（約９０度）である。
【００３１】
このことにより、上方からだけでなく斜め後方から（図４の矢印Ｂから）見た際にも、枕載置部１２の後端１２ａを見えなくすることができる。したがって、仮に枕載置部１２の後端１２ａにカビや水垢が発生したとしても、このカビや水垢をより確実に隠蔽することができる。
【００３２】
本実施の形態において、枕本体２１の第２後面部２１ｂから嵌合孔２４の後方の下端２４ａまでの前後方向における長さは、枕載置部１２の後端１２ａから固定部材２２の後方の下端２２ａまでの前後方向における長さＬ２より、小さい。このことより、例えば、浴室の使用後に浴室の室内温度が大きく上昇した際に樹脂製の枕本体２１に熱膨張が起こった場合に、しっかりとこの熱膨張を許容できるようになり、枕本体２１が変形してしまうことを抑制することができる。
【００３３】
本実施の形態において、第１壁部１４ａと第１後面部２１ａとの間、及び、第２壁部１４ｂと第２後面部２１ｂとの間には、隙間が形成されている。このことにより、リム１１上に着水した水が積極的に該隙間内に入り込みやすくなり、枕載置部１２上を通って浴槽内へ排水しやすくなるとともに、該隙間およびそれに通じる枕載置部１２の後端１２ａが乾きやすくなる。
【００３４】
図５〜７は、本発明の実施の形態に係る浴槽装置の変形例を示す模式的断面図である。
なお、図示は省略しているが、図５〜７で示す浴槽装置の変形例においても、図１〜４で示した浴槽装置と同様の構成を適宜備えているものである。例えば、図５〜７で示す浴槽装置の変形例においても、図１〜４で示した浴槽装置と同様に、枕本体２１の後端２５から嵌合孔２４の後方の下端２４ａまでの前後方向における長さＬ１は、枕載置部１２の後端１２ａから固定部材２２の後方の下端２２ａまでの前後方向における長さＬ２より、大きいものである。
【００３５】
図５に示すように、第２壁部１４ｂの傾斜角度を第１壁部１４ａの傾斜角度より小さくなるよう形成し、第２後面部２１ｂの傾斜角度を第１後面部２１ａの傾斜角度より小さくなるよう形成しても良い。このことにより、上方からだけでなく斜め後方から（図５の矢印Ｃから）見た際にも、枕載置部１２の後端１２ａを見えなくすることができる。したがって、仮に枕載置部１２の後端１２ａにカビや水垢が発生したとしても、このカビや水垢をより確実に隠蔽することができる。
【００３６】
図６に示すように、立ち上がり部１４には後方へ向かって斜めに傾斜している第１壁部１４ａのみを設け、枕本体２１の後面には後方へ向かって斜めに傾斜している第１後面部２１ａのみを設ける構成としても良い。しかし、斜め後方から（図４の矢印Ｂから）見た際には、枕載置部１２の後端１２ａが視認できてしまうため、より好ましくは図４や図５で示した構成が好ましい。
【００３７】
図７に示すように、第１壁部１４ａの傾斜角度を略水平（約０度）、第２壁部１４ｂの傾斜角度を略垂直（約９０度）となるよう形成し、第１後面部２１ａの傾斜角度を略水平（約０度）、第２後面部２１ｂの傾斜角度を略垂直（約９０度）となるよう形成しても良い。
【００３８】
以上、本発明の実施の形態について説明した。しかし、本発明はこれらの記述に限定されるものではない。
【００３９】
前述の実施の形態に関して、当業者が適宜設計変更を加えたものも、本発明の特徴を備えている限り、本発明の範囲に包含される。例えば、浴槽装置１００や本体枕２１の設置構造などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４０】
１０ 浴槽、  １１ リム、  １２ 枕載置部、  １２ａ 後端、  １４ 立ち上がり部、  １４ａ 第１壁部、  １４ｂ 第２壁部、  ２０ 浴槽用枕装置、  ２１ 枕本体（浴槽用枕）、  ２１ａ 第１後面部、  ２１ｂ 第２後面部、  ２２ 固定部材、  ２２ａ 下端、  ２４ 嵌合孔（凹部）、  ２４ａ 下端、  ２５ 後端、  １００ 浴槽装置
【図１】
2019076128.tif 000003
【図２】
2019076128.tif 000004
【図３】
2019076128.tif 000005
【図４】
2019076128.tif 000006
【図５】
2019076128.tif 000007
【図６】
2019076128.tif 000008
【図７】
2019076128.tif 000009